(57)【特許請求の範囲】
【請求項１】
ＲＦ信号の増幅と選局と中間周波数信号の生成とを行うＲＦ増幅部と、
該ＲＦ増幅部で選局された受信信号の中間周波数信号についてその振幅を測定する振幅測定手段と、
前記選局された受信信号中に、ディジタル放送信号のみあるか、アナログ放送信号のみあるか、及び両方があるかの別を復調前の前記中間周波数信号を基に判別する放送方式判別装置と、
前記選局された受信信号中に、ディジタル放送信号のみあるか、アナログ放送信号のみあるか、及び両方があるかの別を基に前記振幅測定手段の出力を必要に応じて補正して出力する補正手段と、
前記ＲＦ増幅部の増幅度を制御するためのＡＧＣ電圧を前記補正手段の出力を基に生成するＡＧＣ電圧生成手段と、
を備えることを特徴とするディジタル放送受信装置。
【請求項２】
前記補正手段は、前記振幅測定手段の出力のｋ倍（ｋは１より小さい所定値）の値を出力する減衰器と、該減衰器の出力と前記振幅測定手段の出力とから一方を前記放送方式判別装置の出力に応じて選択して出力するＡＧＣ切り替えスイッチとを備えることを特徴とする請求項１記載のディジタル放送受信装置。
【請求項３】
前記選局された受信信号中にディジタル放送の信号のみがあると判断したときに、前記振幅測定手段の出力を補正せずに前記ＡＧＣ電圧生成手段に印加し、アナログ放送の信号とディジタル放送の信号とがあると判断したときに、前記振幅測定手段の出力に１より小さい所定値を乗算して前記ＡＧＣ電圧生成手段に印加することを特徴とする請求項１または請求項２記載のディジタル放送受信装置。
【請求項４】
前記放送方式判別装置は、前記中間周波数信号の最大振幅を測定する第１の測定手段と、前記中間周波数信号の電圧を測定する第２の測定手段と、前記第１の測定手段の出力と前記第２の測定手段の出力とを演算して放送方式を判別する比較＆判別手段とを備え、
前記比較＆判別手段では、前記第１の測定手段の出力と前記第２の測定手段の出力との比を算出し、該算出結果の値と予め定めた所定値との大小を比較して該比較結果に応じて、前記選局された放送の放送方式を判別することを特徴とする請求項１乃至３のいずれかに記載のディジタル放送受信装置。
【請求項５】
前記放送方式判別装置は、前記中間周波数信号の電圧を、一つのアナログ放送の信号のスペクトルが分布する周波数範囲を通過帯域とする第１帯域通過フィルタを介して測定する第１の測定手段と、前記中間周波数信号の電圧を測定する第２の測定手段と、前記第１の測定手段の出力と前記第２の測定手段の出力とを演算して放送方式を判別する比較＆判別手段とを備え、
前記比較＆判別手段では、前記第１の測定手段の出力と前記第２の測定手段の出力との比を算出し、該算出結果の値と予め定めた所定値との大小を比較して該比較結果に応じて、前記放送方式を判別することを特徴とする請求項１乃至３のいずれかに記載のディジタル放送受信装置。
【発明の詳細な説明】
【０００１】
【発明の属する技術分野】
本発明は、略同一の中心周波数で同時に放送されるアナログ放送とディジタル放送がある場合にも、前記ディジタル放送を正常に受信できるディジタル放送受信装置に関し、特にそのＲＦ増幅部の利得制御に関する。
【０００２】
【従来の技術】
最近、アナログ放送とディジタル放送とを同一の放送個所から同時に放送する放送方式が提案されている。例えば、米国のＦＣＣに提案されているＩＢＯＣ（In Band On Channel）システムと呼ばれる放送方式などがそれにあたる。
このようなディジタル放送及びアナログ放送を受信可能なアナログ放送／ディジタル放送兼用受信装置、またはディジタル放送の受信装置では、ＲＦ増幅部で選局（同調）された周波数近傍に、アナログ放送の信号が存在する場合には、ＲＦ増幅部の利得制御（以下、ＡＧＣとも記す）が困難になるという問題がある。ＲＦ増幅部のＡＧＣは本来、受信したディジタル放送の信号の振幅を検出し、該振幅が所定の振幅になるようにＲＦ増幅部の利得を自動制御するものであるが、前記検出される振幅が、アナログ放送の信号をも含む信号で検出された振幅である場合には、中間周波数信号の振幅を検出してＡＧＣ回路を動作させると、アナログ放送の信号の振幅に応じてＡＧＣ回路が動作することとなり、受信対象のディジタル放送の信号の振幅を所定値に維持することが出来なくなるのである。
【０００３】
例えば、前記ＩＢＯＣシステムでは、アナログ放送であるＦＭオーディオ放送が４００ｋＨｚ間隔で配置され、該ＦＭオーディオ放送のスペクトルの隙間に、ディジタル放送のスペクトルが存在するようにして放送が行われ、両者の中心周波数は略同一である。ディジタル放送は、例えば欧州規格（Ｅｕｒｅｋａ １４７）に準拠したＤＡＢシステム（規格はETS300401）によるディジタルオーディオ放送である。該ＤＡＢシステムにおけるＤＡＢ信号は、直交周波数分割多重変調方式即ちＯＦＤＭ（Orthogonal Frequency Division Multiplex）で変調されたＯＦＤＭ信号として送信される。
【０００４】
ディジタルオーディオ放送のＯＦＤＭの変調信号とアナログ放送のＦＭ変調信号とが混在している或る周波数に、ＲＦ増幅部が同調した場合、受信されたＲＦ信号から生成された中間周波数信号では、中心周波数近傍の所定の周波数範囲に、振幅が大きなＦＭオーディオ放送の信号と、振幅が小さな多数のキャリアで構成されるディジタル放送の信号とが混在している。
アナログ放送とディジタル放送とを受信可能とする従来の受信装置では、ＲＦ増幅部をアナログ放送とディジタル放送とで共通にするために、復調又は検波した受信信号を用いて放送方式を判別し、また、放送方式ごとに設けた復調回路又は検波回路における信号振幅を検出し、この検出値が所定値になるようにＲＦ増幅部のＡＧＣ回路を前記判別した放送方式に応じて切り替えて、ＲＦ増幅部の利得を自動制御していた。
【０００５】
以下、従来のアナログ/ディジタル兼用受信装置における方式判別装置とＡＧＣ回路の一例について、図４を基に説明する。図４は従来のアナログ/ディジタル兼用受信装置の一例を示すブロック図である。ここではアナログ放送もディジタル放送もテレビジョン放送である場合を例に説明する。
図４において、５０はアナログ／ディジタル兼用のテレビジョン（ＴＶ）放送受信装置である。アンテナ４７から供給された信号からＲＦ増幅部４９で特定の放送が選局され、その中間周波数信号ｐが放送方式スイッチ５１に供給される。ＲＦ増幅部４９の図示しない混合器から出力される中間周波数信号は、図示しない中間周波フィルタで中間周波数信号以外の不必要な信号が除去されて前記中間周波数信号ｐとして放送方式スイッチ５１に供給される。放送方式スイッチ５１はビデオ判別回路５９から供給される放送方式選択信号ｈに応じて、放送がアナログのテレビ放送の場合は信号ｐを信号ｑとして映像検波回路５３に与え、ディジタル放送の場合は信号ｐを信号ｒとしてＩ／Ｑ検波回路５６に与える。
【０００６】
放送が振幅変調されたアナログ放送の場合は、映像検波回路５３はＡＭ検波された信号ｓａをビデオ処理回路５４へ出力する。ビデオ処理回路５４はビデオ信号ｖａを次段に出力すると共に、ビデオ判別回路５９にも出力する。
放送が多重ＰＳＫ変調されたディジタル放送の場合は、Ｉ／Ｑ検波回路５６はＩ／Ｑ検波された信号ｓｄをディジタル復調回路５７に出力する。該ディジタル復調回路５７は内蔵するディジタル／アナログ変換器を介して、アナログの復調ビデオ信号ｖｄを次段に出力すると共に、ビデオ処理回路５９にも出力する。
【０００７】
ＡＧＣ電圧生成手段６１はアナログ放送受信用のＡＧＣ電圧を生成するためのものであり、映像検波回路５３から出力される検波出力の振幅に応じたＡＧＣ電圧ｙを生成してＡＧＣ切り替えスイッチ６３に印加する。ＡＧＣ電圧生成手段６２はディジタル放送受信用のＡＧＣ電圧を生成するためのものであり、Ｉ/Ｑ検波回路５６から出力される検波出力の振幅に応じたＡＧＣ電圧ｚを生成してＡＧＣ切り替えスイッチ６３に印加する。ＡＧＣ切り替えスイッチ６３は前記ＡＧＣ電圧ｙ及びｚから一方の信号を、放送方式選択信号ｈに応じて選択し、信号（ＡＧＣ電圧）ｘとしてＲＦ増幅部４９に印加する。
【０００８】
兼用ＴＶ受信装置５０では、受信時にはまず放送方式スイッチ５１及びＡＧＣ切り替えスイッチ６３をアナログ放送側に切り替えておく。そして、ビデオ信号判別回路５９は、例えばビデオ信号の同期パルスがあるかどうか等により、ビデオ信号ｖａが正しいビデオ信号かどうかを判別する。正しければアナログのテレビ放送を受信しているものと見なし、正しくなければ、アナログのテレビ放送を受信できなかったものと見なし、放送方式スイッチ５１及びＡＧＣ切り替えスイッチ６３をディジタル放送側に切り替える。
【０００９】
次に、ビデオ信号判別回路５９は、復調された信号ｖｄが正しいビデオ信号であるかどうか判別する。そして、正しければディジタル放送を受信しているものと見なし、正しくなければディジタル放送を受信できなかったものと見なす。
このようにして、ＲＦ増幅部４９で選局された放送がアナログ放送であるかディジタル放送であるかを、ビデオ判別回路５９で判別し、放送方式選択信号ｈを介して、放送方式スイッチ５１及びＡＧＣ切り替えスイッチ６３を正しいビデオ信号が得られる方へ切り替えることが出来る。
【００１０】
【発明が解決しようとする課題】
前記した従来例装置では、或る周波数で受信が開始された場合において、受信した周波数にアナログ放送信号とディジタル放送信号とが混在している場合であっても、正常なＡＧＣ回路の動作を行わせることが出来る。しかしながら、前記した従来例装置では、ディジタル復調回路における同期処理を行ってディジタル復調信号が得られるまでは、ディジタル放送を受信できたかどうかの判断が出来ない。これは、ディジタル放送信号では一般的に長い期間に跨ってタイムインターリーブが行われていることに起因する。即ち、一般的にディジタル放送ではタイムインターリーブが行われるが、該タイムインターリーブが解除され、同期処理が終了するまでに長時間を要し、このためにディジタル復調回路から出力される復調出力を基にして放送方式を判別する処理が短時間で終了できず、放送方式に合致するＡＧＣ電圧に速やかに切り替えることが出来ないという問題があった。
本発明の放送方式判別装置は前記問題点に鑑みてなされたものであり、その目的は、略同一の周波数でアナログ放送とディジタル放送とが同時に行われている電波環境下においても、選局開始後、速やかにＲＦ増幅器の利得を適正値に制御するディジタル放送受信装置を提供することである。
【００１１】
【説題を解決するための手段】
本発明は上記目的を達成するために次のような構成でなされたものである。
第１の発明は、ＲＦ信号の増幅と選局と中間周波数信号の生成とを行うＲＦ増幅部と、該ＲＦ増幅部で選局された受信信号の中間周波数信号についてその振幅を測定する振幅測定手段と、前記選局された放送がアナログ放送であるかディジタル放送であるかを前記中間周波数信号を基に判別する放送方式判別装置と、前記振幅測定手段の出力を必要に応じて補正する補正手段と、前記ＲＦ増幅部の増幅度を制御するためのＡＧＣ電圧を前記補正手段の出力を基に生成するＡＧＣ電圧生成手段とを備えたディジタル放送受信装置において、前記補正手段で入力信号の補正をするか否かを、前記放送方式判別装置の出力に応じて制御するようにしたディジタル放送受信装置である。
【００１２】
第１の発明によれば、アナログ放送とディジタル放送とが混在する電波環境において、受信した放送がアナログ放送であるか、ディジタル放送であるかを判別する放送方式判別が、Ｉ／Ｑ検波やディジタル復調をする前の信号を用いて短時間で行われる。また、受信したディジタル放送の信号レベル（振幅）は、直接そのレベルを測定しなくても、同時に受信されたアナログ放送の信号レベルから補正して得ることが出来る。そしてＡＧＣ電圧を生成する際に、受信した信号の振幅として補正前の値を用いるか、補正後の値を用いるかが、前記放送方式の判別結果に応じて切り替えられる。従って、受信後ＲＦ増幅部の利得を速やかに適正値に制御することが出来るようになる。
【００１３】
第２の発明は、第１の発明のディジタル放送受信装置において、前記補正手段は、前記振幅測定手段の出力のｋ倍（ｋは１より小さい所定値）の値を出力する減衰器と、該減衰器の出力と前記振幅測定手段の出力とから一方を前記放送方式判別装置の出力に応じて選択して出力するＡＧＣ切り替えスイッチとを備えるようにしたディジタル放送受信装置である。
【００１４】
第２の発明によれば、アナログ放送とディジタル放送が略同一の中心周波数で同時になされる場合には、受信した信号においてアナログ放送信号の振幅とディジタル放送信号との振幅比が、略所定の一定比率になる。そして前記ディジタル放送信号の振幅はアナログ放送信号の振幅より遥かに小さいが、その値はアナログ放送信号の振幅に対して一定の比率を有するものであるから、アナログ放送信号の振幅を検出し該検出値に１より小さい所定の係数を乗算することにより、ディジタル放送信号の振幅を直接計測できなくても、ディジタル放送信号の振幅を間接的に計測することができる。
【００１５】
第３の発明は、第１の発明又は第２の発明のディジタル放送受信装置において、前記選局された受信信号中にディジタル放送の信号のみがあると判断したときに、前記振幅測定手段の出力を補正せずに前記ＡＧＣ電圧生成手段に印加し、アナログ放送の信号とディジタル放送の信号とがあると判断したときに、前記振幅測定手段の出力に１より小さい所定値を乗算して前記ＡＧＣ電圧生成手段に印加するようにしたディジタル放送受信装置である。
【００１６】
第４の発明は、第１の発明乃至第３の発明のいずれかのディジタル放送受信装置において、前記放送方式判別装置は、前記中間周波数信号の最大振幅を測定する第１の測定手段と、前記中間周波数信号の電圧を測定する第２の測定手段と、前記第１の測定手段の出力と前記第２の測定手段の出力との演算をして放送方式を判別する比較＆判別手段とを備え、前記比較＆判別手段では、前記第１の測定手段の出力と前記第２の測定手段の出力との比を算出し、該算出結果の値と予め定めた所定値との大小を比較して該比較結果に応じて、前記選局された放送の放送方式を判別するようにしたディジタル放送受信装置である。
【００１７】
第４の発明によれば、前記中間周波数信号にアナログ放送信号とディジタル放送信号とが混在する場合に、前記中間周波数信号の最大振幅はアナログ放送信号の振幅により決定され、ディジタル放送信号の有無には無関係である。また前記中間周波数信号の電圧はアナログ放送だけの場合より、ディジタル放送も併存している場合の方が大きな値を示す。
また、前記２つの測定値（最大振幅及び電圧）の各々はＲＦ増幅部の利得により変化するが、それらの比はＲＦ増幅部の利得によらない。従って、前記比の値を予め定めた所定値との大小を比較することにより、放送方式を判別することが出来る。
【００１８】
第５の発明は、第１の発明乃至第３の発明のいずれかのディジタル放送受信装置において、前記放送方式判別装置は、前記中間周波数信号の電圧を、一つのアナログ放送の信号のスペクトルが分布する周波数範囲を通過帯域とする第１帯域通過フィルタを介して測定する第１の測定手段と、前記中間周波数信号の電圧を測定する第２の測定手段と、前記第１の測定手段の出力と前記第２の測定手段の出力とを演算して放送方式を判別する比較＆判別手段とを備え、前記比較＆判別手段では、前記第１の測定手段の出力と前記第２の測定手段の出力との比を算出し、該算出結果の値と予め定めた所定値との大小を比較して該比較結果に応じて、前記放送方式を判別するようにしたディジタル放送受信装置である。
【００１９】
第５の発明によれば、前記中間周波数信号にアナログ放送信号とディジタル放送信号とが混在する場合に、第１の測定手段ではアナログ放送信号のみの電圧が測定され、その値はディジタル放送信号の有無には無関係である。また前記中間周波数信号の電圧はアナログ放送だけの場合より、ディジタル放送も併存している場合の方が大きな値を示す。
また、前記２つの電圧値そのものはＲＦ増幅部の利得により変化するが、その比はＲＦ増幅部の利得によらない。従って、前記比の値と、予め定めた所定値との大小関係を比較することにより、放送方式を判別することが出来る。
【００２０】
【発明の実施の形態】
本発明のディジタル放送受信装置は、ＲＦ信号の増幅と選局と中間周波数信号の生成とを行うＲＦ増幅部と、該ＲＦ増幅部から出力される中間周波数信号についてその振幅を測定する振幅測定手段と、前記選局された放送がアナログ放送であるかディジタル放送であるかを前記中間周波数信号を基に判別する放送方式判別装置と、前記振幅測定手段の出力を必要に応じて補正する補正手段と、前記ＲＦ増幅部の増幅度を制御するためのＡＧＣ電圧を前記補正手段の出力を基に生成するＡＧＣ電圧生成手段とを備え、前記振幅測定手段の出力を前記補正手段で補正をするか否かを、前記放送方式判別装置の出力に応じて制御するようにしたディジタル放送受信装置である。
【００２１】
即ち、選局された周波数の信号から生成された、復調前の信号を用いて放送方式判別装置で放送方式を判別し、前記放送方式がアナログ放送とディジタル放送とが混在する放送であると判別された場合には、前記振幅測定手段で検出された中間周波数信号の振幅の値に所定の係数を乗算して、該乗算結果の値を用いてＲＦ増幅部用のＡＧＣ電圧を生成する。
【００２２】
ここで、略同一の中心周波数近傍にアナログ放送とディジタル放送とが混在する場合には、アナログ放送とディジタル放送の信号は略所定の振幅比で受信されるから、振幅測定手段ではアナログ放送の信号も含めて振幅が計測されても、前記補正手段は、前記計測された振幅値を基にして演算してディジタル放送信号の振幅を推定し、この推定されたディジタル放送信号の振幅値を基にＡＧＣ電圧が生成される。
そして、ＡＧＣ電圧の生成や、ＡＧＣ切り替えスイッチの制御には、Ｉ／Ｑ検波やディジタル復調が行われる前の信号が用いられるから、ＲＦ増幅部には、選局開始後短時間で、放送方式に適合したＡＧＣ電圧を供給することができる。
【００２３】
以下、本発明の実施の形態について図１及び図２を参照して説明する。
まず、アナログ放送とディジタル放送とが、同一のアンテナから同時に放送される例として、現在米国FCC  (Federal Communications Committee：アメリカの連邦通信委員会)に提案されているＩＢＯＣシステムについて図３と共に説明する。
図３はＩＢＯＣシステム放送方式における送信時の電力スペクトル分布を示す図である。図３において、横軸は周波数であり、アナログ放送であるＦＭオーディオ放送の中心周波数を０として該中心周波数からのずれを示す。縦軸は放送波における電力スペクトラムの強度を示し、点線はＦＭオーディオ放送のものであり、実線はＦＭオーディオ放送の隙間を利用して放送されるディジタルオーディオ放送のものである。該ディジタルオーディオ放送の中心周波数はアナログ放送のそれと同じである。
【００２４】
前記ＦＭオーディオ放送は４００ｋＨｚ間隔で配置されている。即ち隣接するＦＭオーディオ放送同士は、その中心周波数が４００ｋＨｚ離間して配置される。ディジタルオーディオ放送の中心周波数は前記ＦＭオーディオ放送の中心周波数と同一であり、ディジタルオーディオ放送波の電力スペクトラムはＦＭオーディオ放送波の電力スペクトラムの外側に分布する。
例えば点線で示すＦＭオーディオ放送波の電力スペクトラム強度は０．３５ｄｂ／ｋＨｚ程度の傾斜を持ち、電力スペクトラムは中心周波数に対し略±１２９ｋＨｚの範囲内に分布する。
【００２５】
一方、実線で示すディジタルオーディオ放送波の電力スペクトラムは中心周波数に対し±（１２９ｋＨｚ〜１９９ｋＨｚ）に分布する。
ＩＢＯＣシステム放送方式のようにアナログ放送とディジタル放送が同時になされる場合には、同一のアンテナから送信され、同一のアンテナで受信される。従って図３に示すような電力スペクトラム強度は、アナログ放送とディジタル放送において所定の比率で放送され、受信時にも同じ比率を有するものとなる。例えば、図３の例では、アナログ放送の場合は−１７ｄｂで、ディジタル放送の場合は−４２ｄｂでその差は２５ｄｂである。
【００２６】
前記ＩＢＯＣシステムは、ＦＭオーディオ放送とディジタルオーディオ放送を同じ中心周波数で同時に放送しても、両者の電力スペクトラムが重ならないようにして互いの干渉を防ぎ、同時の放送を可能にしようとするものである。また、電波環境としては、前記したＩＢＯＣシステムのようにアナログ放送とディジタル放送が同時になされる場合の他に、アナログ放送だけの場合や、ディジタル放送だけの場合もある。このため、受信時には、受信した放送がどの放送方式のものであるかを検知し、その結果に応じてＡＧＣ回路を切り替える必要がある。また、アナログ放送とディジタル放送の兼用受信装置の場合は、復調回路も放送方式選択信号に応じて切り替える必要がある。
【００２７】
図１は本発明ディジタル放送受信装置の一実施例を示すブロック図であり、図２は本発明における放送方式判別装置の一例を示すブロック図である。
本発明ディジタル放送受信装置はアナログ放送を受信する機能を併せ持つものでも良いが、ここではアナログ放送の受信機能に関しては、記載を省略する。
図１について、アナログ放送がＦＭオーディオ放送であり、ディジタル放送がＤＡＢオーディオ放送である場合を例にして説明する。また、このＤＡＢシステムでは、変調方式としてＯＦＤＭ（直交周波数分割多重方式:Orthogonal Frequency Division Multiplex）が採用されているものとして説明する。図１において、ディジタル放送受信装置１０での受信開始の指示やサーチ開始の指示はユーザから図示しない操作パネルを介してマイクロプロセッサ（ＭＰＵ）３５に与えられる。受信するＤＡＢ放送の周波数情報は受信周波数設定信号ＦとしてＭＰＵ３５からＲＦ増幅部１３の図示しないＰＬＬ回路に送られる。
【００２８】
ＲＦ増幅部１３は図２に示すように、アンテナ１１から供給されたＲＦ信号をＡＧＣ電圧に応じた増幅度で増幅するＲＦ増幅回路１３Ａと、図示しないＰＬＬ回路を有して受信周波数設定信号Ｆに応じた周波数で発振する局部発振器１３Ｃと、ＲＦ増幅回路１３Ａから送出されるＲＦ信号と局部発振器１３Ｃの出力とを混合して所定の中間周波数信号を出力する混合器１３Ｂと、該混合器１３Ｂから出力される信号から中間周波数信号以外の信号を除去する中間周波フィルタ１３Ｄ等で構成される。該中間周波フィルタ１３Ｄは例えばＳＡＷフィルタで構成される。
【００２９】
前記ＲＦ増幅部１３では、アンテナ１１から供給されたＲＦ信号が増幅され、そのうちの特定周波数とその近傍周波数の搬送波が受信され、信号処理され、所定の中間周波数信号（ＩＦ信号）に変換され、中間周波フィルタ１３Ｄを通った中間周波数信号ｅがＯＦＤＭ復調器１９と振幅測定手段１７と放送方式判別装置２０とに与えられる。前記した特定周波数とその近傍周波数の搬送波を受信することは、一般的に選局とも言われる。
【００３０】
図１に示すＯＦＤＭ復調器１９は、図示しないアナログ／ディジタル変換器（Ａ／Ｄ変換器）、Ｉ／Ｑ検波器、ＦＦＴ、ＤＳＰなどで構成される。ＲＦ増幅部１３で選局された放送がディジタルオーディオ放送（ＤＡＢ放送）のときは、ＯＦＤＭ復調器１９では、アナログ信号がディジタル信号に変換され、後段でＯＦＤＭ信号が処理できるように、Ｉ／Ｑ検波器でＩ信号とＱ信号とに分割され、ＦＦＴに供給される。また、ＦＦＴとＤＳＰ（ディジタル演算装置）によって高速フーリエ変換が行われ、この演算結果はチャンネルデコーダ２１に供給される。チャンネルデコーダ２１では、信号の順番を元の順に戻す周波数デ・インターリーブ（de-interleaving）、ＱＰＳＫシンボルデマッピング、ＦＩＣとＭＳＣの分離などが行われ、さらにタイム・デ・インターリーブや、送信されなかったコードビットを挿入して元のデータに戻すデ・パンクチャリング（de-pancturing）や、誤り符号の検出や訂正などが行われる。
【００３１】
チャンネルデコーダ２１からはＤＡＢオーディオフレームが圧縮復号器２３に与えられる。圧縮復号器２３に与えられるオーディオ情報は、ＭＰＥＧオーディオ・レイヤ２を用いて圧縮されたオーディオ情報であり、圧縮復号器２３では前記圧縮されたオーディオ情報が復号されて圧縮が解除され、復号されたオーディオデータｊが次段のＤ／Ａ変換器に供給される。
【００３２】
放送方式判別装置２０では中間周波数信号ｅを用いて、受信した放送がアナログ放送であるか、ディジタル放送であるか、両者が混在する放送であるかが判別され、その結果である放送方式判別信号ｃがＭＰＵ３５に供給される。
図５は放送方式判別信号と放送方式選択信号と復調制御信号ｕの一例を示す図である。図５に示す例では、放送方式判別信号ｃは２ビットの符号であり、放送方式がアナログ放送のみのときは０１、ディジタル放送のみの時は１０、アナログ放送とディジタル放送が混在しているときは１１である。ＭＰＵ３５は放送方式判別信号ｃに応じて放送方式選択信号ＳをＡＧＣ切り替えスイッチ１５に印加し、復調制御信号ｕをＯＦＤＭ復調器１９に印加する。
【００３３】
ＭＰＵ３５は放送方式判別信号ｃに応じて、受信した放送がディジタル放送のみの場合は放送方式選択信号Ｓとして０を出力し、受信した放送がアナログ放送のみ、又はアナログ放送とディジタル放送が混在している場合は前記放送方式選択信号Ｓとして１を出力し、ＡＧＣ切り替えスイッチ１５に印加する。復調制御信号ｕについては、受信した放送がアナログ放送のみの場合は０とし、受信した放送がディジタル放送のみ、又はアナログ放送とディジタル放送が混在している場合は１としてＯＦＤＭ復調器１９に印加し、ＯＦＤＭ復調器１９は復調制御信号ｕが１の時にのみ復調信号をチャンネルデコーダ２１に出力する。
【００３４】
振幅測定手段１７は、中間周波数信号ｅの振幅を所定時間計測し、その平均値ｍを補正手段３０のＡＧＣ切り替えスイッチ１５と減衰器１８とに供給する。補正手段３０は減衰器１８とＡＧＣ切り替えスイッチ１５とで構成される。減衰器１８は、振幅測定手段１７から与えられた振幅値ｍに対して、中間周波数信号ｅにおけるアナログ放送信号とディジタル放送信号との振幅比に応じて補正処理をし、補正した値をＡＧＣ切替えスイッチ１５に与える。減衰器１８における前記補正は、例えば、振幅値ｍに１より小さい係数ｋを乗算して減衰させる。図３に示す例では、アナログ放送の電力スペクトラム強度が−１７ｄｂ、ディジタル放送の電力スペクトラム強度が−４２ｄｂであるから、その差が２５ｄｂであり、前記ｋの値は１／１７．８（約０．０５６）となる。
【００３５】
振幅測定手段１７の出力ｍと減衰器１８の出力ｎはＡＧＣ切替えスイッチ１５に与えられ、ＡＧＣ切替えスイッチ１５は、前記放送方式選択信号Ｓが０の時には前記信号ｍを選択し、前記放送方式選択信号Ｓが１の時には前記信号ｎを選択して、信号ｌとしてＡＧＣ電圧生成手段１４に供給する。即ち、放送がアナログ放送のみ、又はアナログ放送とディジタル放送の両方であるときは、減衰器１８で補正した振幅値がＡＧＣ電圧の生成に用いられる。
ＡＧＣ電圧生成手段１４は、ＡＧＣ切替えスイッチ１５から供給された前記信号ｌに応じたＡＧＣ電圧を生成してＲＦ増幅部１３に供給し、これにより、中間周波数信号ｅの振幅は所定値になるように制御される。
【００３６】
図２に示すように、放送方式判別装置２０は、ＲＦ増幅部１３の中間周波フィルタ１３Ｄから出力された中間周波数信号ｅを用いて、受信された信号の放送方式がアナログ放送であるか、ディジタル放送であるかを判別し、その結果を放送方式判別信号ｃとしてＭＰＵ３５に出力する。放送方式判別装置２０は例えば図２に示すように構成され、後述する第１測定手段２９などのように振幅測定手段１７と放送方式判別装置２０とで一部の構成を兼用することも出来る。図２に示す例では、放送方式判別装置２０の第１測定手段２９が振幅測定手段１７としても用いられ、その出力ｍが補正手段３０に与えられている。
【００３７】
放送方式判別装置２０は、第１帯域通過フィルタ（第１ＢＰＦ）２５、第２帯域通過フィルタ（第２ＢＰＦ）２７、第１測定手段２９、第２測定手段３１、比較＆判別手段３３で構成され、比較＆判別手段３３はＭＰＵ３５で構成しても良い。
第１ＢＰＦ２５は狭帯域バンドパスフィルタであり、その中心周波数が前記中間周波数信号の中心周波数と同一で、通過帯域幅はＦＭオーディオ放送のスペクトラムが分布する周波数範囲のみを通過させるように制限する。該帯域幅は例えば２５８ｋＨｚに設定する。第２ＢＰＦ２７は広狭帯域バンドパスフィルタであり、その中心周波数が前記中間周波数信号の中心周波数と同一で、通過帯域幅は少なくともディジタルオーディオ放送のスペクトラムが分布する周波数範囲、例えば３９８ｋＨｚに設定する。
【００３８】
ＲＦ増幅部１３は中間周波数信号ｅを放送方式スイッチ１５と第１ＢＰＦ２５と第２ＢＰＦ２７とに印加する。第１測定手段２９は第１ＢＰＦ２５から供給された信号の振幅を所定時間測定する。この測定は例えば、振幅の最大値の測定、又は電圧の測定であり、その所定時間での平均値ａを比較＆判別手段３３に出力する。さらに第１測定手段２９での測定は、中間周波数信号ｅのうち所定値以上の振幅の部分を抜き出して、実質的にディジタルオーディオ放送の信号を除外した後に、その信号の電圧を測定するようにしても良い。第２測定手段３１は第２ＢＰＦ２７から供給された信号の電圧を所定時間測定し、その平均値ｂを比較＆判別手段３３に出力する。比較＆判別手段３３は前記ａとｂとの比、即ちｂ／ａの値から放送方式を算出し、この算出結果である放送方式判別信号ｃをＭＰＵ３５に供給する。
【００３９】
第１ＢＰＦ２５はＦＭオーディオ放送のみの信号を正確に測定するためのものであり、第１測定手段２９で最大振幅を測定する場合は省略することが可能であるが、電圧値として測定する場合は省略することが出来ない。なお、ダイオードを用いた包絡線検波等により第１測定手段２９で振幅を測定する場合は、所定値より振幅の小さいディジタルオーディオ放送の信号が検出されないようにすることができるから、この場合は第１ＢＰＦ２５は省略することが出来る。
【００４０】
第１測定手段２９での測定は、一つのＦＭオーディオ放送の信号のスペクトルが分布する周波数範囲を通過帯域とする帯域通過フィルタを用いることにより、ディジタルオーディオ放送の成分を含めない、より正確な測定が可能になり、測定は最大振幅、電圧のいずれでも良くなる。
第２測定手段３１での測定では、第２ＢＰＦ２７を省略することも可能であるが、一つのディジタルオーディオ放送の信号のスペクトルが分布する周波数範囲を通過帯域とする帯域通過フィルタを用いることにより、受信中の周波数の隣接周波数帯に放送がある場合にもその影響を受けず正確な測定が可能になる。
【００４１】
ＭＰＵ３５は、前記ｂ／ａの値と、予め定められた所定値ｃｐとの大小関係を調べる。そして、ｂ／ａが所定値ｃｐより小さい場合には、受信した放送がＦＭオーディオ放送のみの放送であると判断し、その判断結果の放送方式判別信号ｃとして０１をＭＰＵ３５に与える。ｂ／ａが所定値ｃｐより大きい場合はＦＭオーディオ放送とディジタルオーディオ放送が混在した放送であると判断し、その判断結果の放送方式判別信号ｃとして１１をＭＰＵ３５に与える。なお、前記ａの値がほぼゼロで、ｂの値が所定値より大きい場合はディジタルオーディオ放送のみであると判断して、その判断結果の放送方式判別信号ｃとして１０をＭＰＵ３５に与える。
【００４２】
ＭＰＵ３５は前記放送方式判別信号ｃに応じて放送方式選択信号ＳをＡＧＣ切替えスイッチ１５に与え、これに応じて前記放送方式スイッチ１５は、前記ｓが０の時は信号ｍを選択してＡＧＣ電圧生成手段１４に与え、前記ｓが１の時は信号２を選択してＡＧＣ電圧生成手段１４に与える。
なお、前記した所定値ｃｐは、第１測定手段２９で振幅をどのように測定するかによって異なる値となり、例えば最大振幅を測定する場合と、電圧を測定する場合とでは異なる値となる。
【００４３】
前記したように、放送方式判別装置２０では前記ａ、ｂの値によって、特にａとｂとの比によって放送方式が識別される。以下この原理について述べる。
同一のアンテナから送信されたＦＭオーディオ放送とディジタルオーディオ放送では、図３に示すような電力スペクトル強度を有し、受信時にも、ＦＭオーディオ放送のキャリアの振幅は、ディジタルオーディオ放送のキャリアの振幅よりはるかに大きい。
そして、前記中間周波数信号ｅを第１測定手段２９で測定した値ａはＦＭオーディオ放送のみによって決まり、ディジタルオーディオ放送の有無によって変動することは殆どない。
【００４４】
一方、受信した周波数付近でＦＭオーディオ放送とディジタルオーディオ放送とが同時に送信されている場合には、前記中間周波数信号ｅの最大振幅はディジタルオーディオ放送の有無によってあまり変動しないが、第２測定手段３１で測定した電圧値ｂは、ディジタルオーディオ放送の多数のキャリアにより、ＦＭオーディオ放送のみの場合よりも大きくなる。
従って、ｂ／ａの値と予め定められた所定値との大小関係を調べることにより、受信中の放送がアナログ放送だけのものか、ディジタル放送も混在しているものかの判別が可能となる。また、前記ａ、ｂの値はＲＦ増幅部１３の増幅度により異なるが、その比の値はＲＦ増幅部１３の増幅度によらないから、ＲＦ増幅部１３の増幅度が最適値に制御されていない状態でも、ｂ／ａの値から放送方式を早期に判別することが出来る。
しかも、この判別は、ディジタル放送の信号が復調される前に行うことが出来るから、極めて短時間に行うことが出来るという特徴がある。なお、前記ａ、ｂの比の値は、ａ／ｂを用いても良いことは勿論である。
【００４５】
以上詳細に述べた通り、本発明のディジタル放送受信装置によれば、アナログ放送とディジタル放送とが混在する電波環境において、受信した放送がアナログ放送であるか、ディジタル放送であるかを判別する放送方式判別が、Ｉ／Ｑ検波やディジタル復調の前の信号を用いて短時間で行われる。また、受信したディジタル放送の信号レベル（振幅）は、直接そのレベルを測定しなくても、同時に受信されたアナログ放送の信号レベルから補正して得ることが出来る。そしてＡＧＣ電圧を生成する際に、受信した信号の振幅として補正前の値を用いるか、補正後の値を用いるかが、受信を希望する放送の放送方式に適合する方へ、前記放送方式の判別結果に応じて切り替えられる。従って、受信後ＲＦ増幅部の利得を速やかに適正値に制御することが出来るようになる。
【図面の簡単な説明】
【図１】本発明ディジタル放送受信装置の一実施例を示すブロック図である。
【図２】本発明における放送方式判別装置の一例を示すブロック図である。
【図３】ＩＢＯＣシステム放送方式における送信時の電力スペクトル分布を示す図である。
【図４】従来のアナログ/ディジタル兼用受信装置の一例を示すブロック図である。
【図５】放送方式判別信号と放送方式選択信号と復調制御信号ｕの一例を示す図である。
【符号の説明】
１３    ＲＦ増幅部
１４    ＡＧＣ電圧生成手段
１５    ＡＧＣ切り替えスイッチ
１７    振幅測定手段
１８    減衰器
１９    ＯＦＤＭ復調器
２０    放送方式判別装置
２１    チャンネルデコーダ
２３    圧縮復号器
２５    第１帯域通過フィルタ（第１ＢＰＦ）
２７    第２帯域通過フィルタ（第２ＢＰＦ）
２９    第１測定手段
３０    補正手段
３１    第２測定手段
３３    比較＆判別手段
３５    マイクロプロセッサ（ＭＰＵ）
【図１】
0003661084.tif 000002
【図２】
0003661084.tif 000003
【図３】
0003661084.tif 000004
【図４】
0003661084.tif 000005
【図５】
0003661084.tif 000006